(57)【特許請求の範囲】
【請求項１】
第１層と第２層とを積層した積層部材を切断する切断装置であって、
カッタ刃と、
このカッタ刃を支持すると共に、そのカッタ刃の刃先より前記第２層の厚さに相当する長さだけ突出する突出部を設けたカッタ支持部と、
前記突出部を収容可能な凹部を有し、前記カッタ刃と対向して設けられると共に、切断処理すべく供給される前記積層部材の第２層と対面する受台と、
前記カッタ支持部を駆動する駆動手段と、
この駆動手段の駆動により前記カッタ支持部を第１の方向に移動させて前記突出部を前記凹部に収納し、前記カッタ刃の刃先を前記受台に当接して前記積層部材の第１層と第２層とを切断し、また、前記駆動手段の駆動により前記カッタ支持部材を前記第１の方向とは異なる第２の方向に移動させて前記突出部を前記受台に当接し、前記カッタ刃の刃先と前記受台の間に前記第２層の厚さに相当する隙を形成して前記積層部材の第１層を切断するカッタ移動機構と
を具備したことを特徴とする切断装置。
【請求項２】
前記カッタ移動機構は、前記駆動手段により一方向及びその一方向とは反対方向に回転駆動され、前記カッタ支持部に係合して前記カッタ刃の刃先を前記受台上に略接する円弧上を移動させるべく前記カッタ支持部を前記一方向及びその反対方向に回転移動させるカム部材を備えることを特徴とする請求項１記載の切断装置。
【請求項３】
更に、前記駆動手段により前記カッタ移動機構が駆動されるときに前記カッタ支持部に連動して前記受台に向けて移動し、前記積層部材を前記受台との間で押圧する押え部材を備えることを特徴とする請求項１又は請求項２記載の切断装置。
【請求項４】
前記第１層は印字テープ層であり、前記第２層は剥離層であって、前記積層部材は前記印字テープ層と前記剥離層が積層された積層テープであることを特徴とする請求項１乃至請求項３にいずれかに記載の切断装置。
【請求項５】
前記積層部材を搬送する搬送手段と、
この搬送手段により搬送される前記積層部材上の前記第１層に印字する印字手段と、
この印字手段の下流側に配設され、印字された前記積層部材の第１層及び第２層又は前記積層部材上の第１層を切断する請求項１乃至請求項３にいずれかに記載の切断装置と
を具備したことを特徴とする印字装置。
【請求項６】
前記第１層は印字テープ層であり、前記第２層は剥離層であって、前記積層部材は前記印字テープ層と前記剥離層とが積層された積層テープであることを特徴とする請求項５記載の印字装置。
【請求項７】
前記第１層は剥離層であり、前記第２層は印字テープ層であって、前記積層部材は前記剥離層と前記印字テープ層とが積層された積層テープであることを特徴とする請求項５記載の印字装置。
【発明の詳細な説明】
【０００１】
【発明の属する技術分野】
本発明は、積層部材の全部の層又は一部の層を切断する切断装置及びその切断装置を備え積層部材に印字する印字装置に関する。
【０００２】
【従来の技術】
印字テープ層と剥離層（剥離紙）とが貼着剤を介して積層されてなる積層テープに文字を印字してビデオテープカセットやオーディオテープカセットに貼り付けるタイトルラベルや種々のラベルを作成するテープ印字装置が普及している。
【０００３】
このテープ印字装置は、印刷する文字データを入力するキーボード、入力されたデータを表示する表示装置、入力された文字データから印字データを作成するデータ制御部、印字データを積層テープに印字するプリンタを備え、プリンタには積層テープを送るテープ送り機構、積層テープにインクリボンを介して熱転写印字を行う印字機構、積層テープの切断装置などを備えて構成されている。
【０００４】
また、前記切断装置は、印字テープ層を剥離層と共に切断するフルカット機能を備えるものであるが、このフルカット機能に加えて剥離層を残して印字テープ層のみを切断するハーフカット機能を有する切断装置を備えたテープ印字装置も提案されている。
【０００５】
このようなテープ印字装置では、切断装置のフルカット機能により積層テープから所定の長さで切り離されたラベルの印字テープ層側にハーフカット機能により切り込みを形成することで、この切り込みを手掛かりに印字テープ層を剥離層から容易に剥離することができて便利である。
【０００６】
【発明が解決しようとする課題】
従来のフルカット機能及びハーフカット機能を有するテープ印字装置の切断装置は、両カット機能に対応してカッタ刃を含めて夫々独立した切断機構を備え、あるいはフルカット機構及びハーフカット機構に対応した駆動源を備えて構成されていた。
【０００７】
しかしながら、従来の切断装置はフルカット機構及びハーフカット機構を独立して設けるため、構造が複雑となり、また積層テープの搬送路に沿って２つの切断機構を別個に配置するため、全体の形状も大きくなるという問題がある。
【０００８】
そこで、本発明では、第１層と第２層とからなる積層部材の第１層及び第２層を切断する切断処理と、第２層のみを切断する切断処理とを行う切断機構を簡単に構成することができる切断装置と、その切断装置を備えた印字装置を提供することを目的とする。
【０００９】
【課題を解決するための手段】
本発明は、第１層と第２層とを積層した積層部材を切断する切断装置であって、カッタ刃と、このカッタ刃を支持すると共に、そのカッタ刃の刃先より前記第２層の厚さに相当する長さだけ突出する突出部を設けたカッタ支持部と、前記突出部を収容可能な凹部を有し、前記カッタ刃と対向して設けられると共に、切断処理すべく供給される前記積層部材の第２層と対面する受台と、前記カッタ支持部を駆動する駆動手段と、この駆動手段の駆動により前記カッタ支持部を第１の方向に移動させて前記突出部を前記凹部に収納し、前記カッタ刃の刃先を前記受台に当接して前記積層部材の第１層と第２層とを切断し、また、前記駆動手段の駆動により前記カッタ支持部材を前記第１の方向とは異なる第２の方向に移動させて前記突出部を前記受台に当接し、前記カッタ刃の刃先と前記受台の間に前記第２層の厚さに相当する隙を形成して前記積層部材の第１層を切断するカッタ移動機構とを具備して構成される。
【００１０】
このような切断装置によれば、夫々が単一の、カッタ刃と、カッタ刃を支持するカッタ支持部と、カッタ刃を受ける受台と、カッタ支持部の移動機構と、その駆動手段からなる簡単な構成によって、積層部材の第１層及び第２層の切断処理と第２層のみの切断処理を行うことができる。
【００１１】
また、前記切断装置のカッタ支持部の移動機構は、前記駆動手段により一方向及びその一方向とは反対方向に回転駆動され、前記カッタ支持部に係合して前記カッタ刃の刃先を前記受台上に略接する円弧上を移動させるべく前記カッタ支持部を前記一方向及びその反対方向に回転移動させるカム部材を備えて構成することができる。
【００１２】
このような切断装置によれば、カッタ刃の刃先が受台上に略接する円弧上を移動しながら受台上の積層部材を切断することになり、切れ味のよい切断が可能になる。
【００１３】
また、前記切断装置の駆動手段により前記カッタ移動機構が駆動されるときに前記カッタ支持部に連動して前記受台に向けて移動し、前記積層部材を前記受台との間で押圧する押え部材を備えることで、切断時に積層部材を受台に押え付けた状態で安定した切断処理を行うことができる。
【００１４】
さらに、簡単な構成を有する前記切断装置を前記積層部材に印字を行う印字装置に備えることによって、切断装置付き印字装置全体の形状も小型化できる。
【００１５】
【発明の実施の形態】
以下、図面を参照して本発明の一実施形態を説明する。
【００１６】
図１は本発明の切断装置を備えたテープ印字装置の斜視図であり、図２はテープカセット収容部及びテープカセットの斜視図である。
【００１７】
図１に示すように、テープ印字装置１の装置本体２の上面には、キーボード３、液晶表示部４が設けられ、開閉自在の蓋５でカバーされたカセット収容部６が設けられる。
【００１８】
キーボード３には、装置の電源を操作する電源キー、文字や記号を入力する文字・記号入力キー、入力した文字や記号などを削除する削除キー、表示画面上でカーソルを上下左右に移動操作するカーソル移動キー、作成された文書の印刷を指示する印刷キー、メニュー画面などでの選択の実行や各種処理の実行を指示する実行キー、あるいは処理の実行を取り消す取消しキーなど、テープ印字装置１のテープ印字制御処理に必要なキーが設けられる。
【００１９】
また、カセット収容部６には、熱転写プリンタの印字機構が設けられ、印字用の印字用の積層テープ１４と熱転写用のインクリボン１６を収容したテープカセット１２が装着される。
【００２０】
前記印字機構は、印字データに基づいて発熱素子が発熱駆動されるサーマルヘッド７と、このサーマルヘッド７の駆動時に回転駆動されて印字用の積層テープ１４及びインクリボン１６を搬送するプラテンローラ８及び熱転写により使用されたインクリボン１６を巻き取るリボン巻取軸９を備える。
【００２１】
サーマルヘッド７は、印字用の積層テープ１４の幅方向に１列に配列された複数個の発熱体１０を備え、軸１１を中心に回動してプラテンローラ８に対して圧接及び開離可能に設けられている。
【００２２】
プラテンローラ８は図示しない駆動部により回転されてサーマルヘッド７の１ラインの印字毎に一定角度だけ回転駆動されて積層テープ１４及びインクリボン１６を所定の距離だけ搬送し、プラテンローラ８の回転駆動とともにリボン巻取軸９も図示しない駆動部により回転駆動されて使用済のインクリボン１６が巻き取られる。
【００２３】
カセット収容部６に装着されるテープカセット１２は、カセットケース１３と、積層テープ１４を巻装したテープ供給リール１５と、インクリボン１６を巻装したリボン供給リール１７と、リボン巻取軸９により回転駆動されるリボン巻取リール１８とを備えている。また、カセットケース１３の一部にはサーマルヘッド７が収容されるヘッド挿入部１９が設けられ、このヘッド挿入部１９にカセットケース１３から積層テープ１４及びインクリボン１６が重ねて引き出されてサーマルヘッド７とプラテンローラ８の間に供給される。
【００２４】
このテープ印字装置では、積層テープ１４とインクリボン１６とがプラテンローラ８の回転駆動により搬送され、また使用済みのインクリボン１６がリボン巻取軸９の回転駆動により巻き取られつつ、サーマルヘッド７の発熱駆動により熱転写印字が行なわれて文字列からなる文書のデータが印字用の積層テープ１４の長手方向に順次印字される。印字が済んだ積層テープ１４はテープ排出口２０から機外に排出され、テープ切断機構２１により印字済部分が切断される。
【００２５】
このテープ印字装置１に使用されるテープカセット１２には、内部に収納する積層テープの種類や幅の異なるものが複数種類が用意されている。
【００２６】
図３に積層テープ１４の構造を示す。
【００２７】
印字媒体として用いられる積層テープ１４は、印字面の裏面に接着剤１４ｂが塗布された印字テープ層１４ａと、その印字テープ層１４ａの裏面側の剥離層１４ｃとからなり、これらが積層されて構成されている。
【００２８】
また、装置本体２には、印字が終了した積層テープ１４を外部に排出するテープ排出口２０が設けられ、テープ排出口２０と印字機構の間のテープ排出路にはテープ切断機構２１が設けられる。このテープ切断機構２１は、印字が終了した積層テープ１４の印字テープ層１４ａと剥離層１４ｃを切断するフルカット機能と、剥離層１４ｃを残して印字テープ層１４ａのみを切断するハーフカット機能の両機能を兼ね備えている。
【００２９】
ここで、前記テープ切断機構２１の構造について説明する。
【００３０】
図４は前記テープ切断機構２１の構造を示す分解斜視図である。
【００３１】
図中の３１はカッタ支持部材であり、印字済みの積層テープ１４を切断するためのカッタ刃３２を支持すると共に、そのカッタ刃３２の刃先より積層テープ１４の剥離層１４ｃの厚さに相当する長さだけ突出した突出部３３ａ，３３ｂを有する。このカッタ支持部材３１に対向してカッタ刃３２を受ける受台３４が設けられる。この受台３４は、印字済みの積層テープ１４の剥離層１４ｃ側と対面するようにテープ排出路に立設されており、カッタ支持部材３１の突出部３３ａ，３３ｂを収容可能な凹部３５ａ，３５ｂを有し、水平に対向する一対のガイド部材３６ａ，３６ｂを有する。このガイド部材３６ａ，３６ｂの対向面にはカッタ支持部材３１の上下両端部が嵌め込まれてカッタ支持部材３１を案内する溝３７ａ，３７ｂが形成される。なお、カッタ支持部材３１は水平方向とともに垂直方向にも移動可能なようにガイド部材３６ａ，３６ｂの溝３７ａ，３７ｂに嵌め込まれている。
【００３２】
また、受台３４にシャーシ３８が取り付けられ、このシャーシ３８に正逆方向に回転駆動されるカッタ駆動モータ３９が取付けられ、さらにシャーシ３８にはカッタ駆動モータ３９を駆動源としてカッタ支持部材３１を受台３４に向けて移動するための機構が設けられている。
【００３３】
すなわち、カッタ駆動モータ３９の回転軸に設けられた出力ギヤ４０、この出力ギヤ４０に噛み合う第１の伝達ギヤ４１、この伝達ギヤ４１と同軸に設けられる第２の伝達ギヤ４２、この第２の伝達ギヤ４２の上下に対称に配置されて第２の伝達ギヤ４２に噛み合ってカッタ支持部材３１を稼働させるための第１及び第２の稼働ギヤ４３ａ、４３ｂがシャーシ３８上に軸支される。そして、第１及び第２の稼働ギヤ４３ａ、４３ｂの側面には、カッタ支持部材３１に水平方向に設けられる長穴４５ａ，４５ｂと係合する係合ピン４４ａ，４４ｂが設けられる。
【００３４】
この係合ピン４４ａ，４４ｂを備えた第１及び第２の稼働ギヤ４３ａ、４３ｂは一対のカムを構成するものであり、以下、これを第１及び第２のカムという。
【００３５】
そして、駆動モータ３９の正逆方向の回転駆動によって、第１及び第２のカム４３ａ、４３ｂが図４に示す係合ピン４４ａ，４４ｂの位置を初期位置として一方向及びその一方向とは反対方向に所定の角度だけ回転駆動され、この第１及び第２のカム４３ａ，４３ｂに係合するカッタ支持部材３１に取り付けられたカッタ刃３２の刃先が受台３４上に略接する円弧上を移動するように構成される。
【００３６】
なお、受台３４とシャーシ３８の間には、積層テープ１４が通り抜け可能な間隙を有する。
【００３７】
また、４６は補強部材であり、受台３４に設けられた一対のガイド部材３６ａ，３６ｂに架設される。この補強部材４６のカッタ支持部材３１と対向する面にはフック４７、その逆の面にはガイドピン４８が設けられている。カッタ支持部材３１の補強部材４３と対向する面には、フック４９が前記フック４７と離間した位置に設けられ、その両者のフック４７，４９との間にバネ５０が架設されている。このバネ５０は、カッタ支持部材３１を常に受台３４方向に付勢している。
【００３８】
また、５１は切断時に積層テープ１４を受台３４に押し付けておくためのテープ押え部材である。このテープ押え部材５１には、受台３４方向に向けて水平に長穴５２が形成されており、前記補強部材４６の他方面に設けられたガイドピン４８がこの長穴４９に係合することで、テープ押え部材５１を受台３４に向けて移動可能に支持している。このテープ押え部材５１のバネフック５３にトーションバネ５４が架設される。このトーションバネ５４は、ガイド部材３６ａ，３６ｂの端部に形成された突起部５５ａ，５５ｂに引っ掛けられて、テープ押え部材５１を常に受台３４方向に付勢する。
【００３９】
前記テープ押え部材５１の端部には、カッタ支持部材３１に向けて突出された爪５６ａ，５６ｂが設けられている。カッタ支持部材３１が受台３４とは逆方向に移動すると、カッタ支持部材３１の端部が前記爪５６ａ，５６ｂに当接する。これにより、テープ押え部材５１はカッタ支持部材３１の受台３４とは離間する方向への移動に伴って同方向に移動するように構成されている。また、積層テープ１４の切断時にカッタ支持部材３１が受台３４の方向に移動するのに伴い、テープ押え部材５１はトーションバネ５４の付勢力により、受台３４の方向に移動する。
【００４０】
ここで、受台３４のカッタ刃３２が当接する部分には、刃受け部材５７が設けられており、その刃受け部材５７の両端に凹部３５ａ，３５ｂが形成されている。この凹部３５ａ，３５ｂに前記カッタ支持部材３１の突出部３３ａ，３３ｂが収納されるか否かで、カッタ刃３２による積層テープ１４の切断の深さが決まる。つまり、フルカットかハーフカットかが決まる。
【００４１】
この様子を図５乃至図９を参照して詳しく説明する。
【００４２】
図５はテープ切断機構２１の構成を示す図であり、テープ切断前の初期状態を示す。
【００４３】
上述したように、カッタ支持部材３１には受台３４に向けて水平方向に長穴４５ａ，４５ｂが形成され、この長穴４５ａ，４５ｂに第１及び第２のカム４３ａ，４３ｂの係合ピン４４ａ，４４ｂが係合する。そして、前記カッタ支持部３１のカッタ刃３２の両側には、カッタ刃３２より突出する突出部３３ａ，３３ｂが設けられ、一方、受台３４には一対の凹部３５ａ，３５ｂが形成されている。
【００４４】
カッタ支持部材３１の突出部３３ａ，３３ｂの先端はカッタ刃３２の先端よりＴだけ突出しており、このＴは積層テープ１４の剥離層１４ｃの厚みに相当する寸法である。また、突出部３３ａ，３３ｂのカッタ刃３２に対する突出寸法Ｔは受台３４に形成された凹部３５ａ，３５ｂの深さより小さい。
【００４５】
図５に示すテープ切断機構２１のテープ切断前の初期状態では、第１及び第２のカム４３ａ，４３ｂの係合ピン４４ａ，４４ｂは、カッタ支持部材３１の長穴４５ａ，４５ｂ内の受台３４から離れた端部に位置しており、カッタ支持部材３１は受台３４から最も離れて位置している。
【００４６】
ここで、前記テープ切断機構２１によって実現されるフルカットについて説明する。
【００４７】
図６（ａ）、（ｂ）はテープ切断機構２１のフルカットの動作を説明する図である。フルカットはテープを完全に切断するものであり、例えば、図３の積層テープ１４の印字テープ層１４ａと接着剤１４ｂと剥離層１４ｃを切断する。
【００４８】
図５に示す初期状態からカッタ駆動モータ３９が正転駆動すると、第１及び第２のカム４３ａ，４３ｂが矢印Ａ方向に同時に回転し、それに伴って係合ピン４４ａ，４４ｂも１点鎖線で示す円内の円弧軌道上を移動する。すると、係合ピン４４ａ，４４ｂと長穴４５ａ，４５ｂが係合し、バネ５０で受台３４の方向に付勢されているので、カッタ刃３２を支持したカッタ支持部材３１は図６（ａ）で下方向に移動しつつ受台３４に向けて移動する。カッタ駆動モータ３９がさらに正転駆動することで、係合ピン４４ａ，４４ｂの円弧軌道の移動に応じてカッタ支持部材３１は図６（ｂ）で上方に移動しつつ受台３４上の積層テープ１４をフルカットする。これによりカッタ刃３２の刃先は受台３４上に略接する円弧上を移動する。図６（ｂ）はフルカット終了時の状態を示している。このとき、カッタ支持部材３１の突出部３３ａ，３３ｂは、受台３４の刃受け部材５７の両端に設けられた凹部３５ａ，３５ｂに収納される。
【００４９】
フルカット処理が終了すると、カッタ駆動モータ３９が逆転してカッタ支持部材３１は図５の初期位置に復帰する。カッタ刃３２のフルカットの初期位置及び終了位置はセンサにより第１及び第２のカム４３ａ，４３ｂの回転角度を検出することで行われる。
【００５０】
図７（ａ）、（ｂ）はテープ切断機構２１のハーフカットの動作を説明する図である。ハーフカットはテープを部分的に切断するものであり、例えば、図３の積層テープ１４の剥離層１４ｃを残して印字テープ層１４ａと接着剤１４ｂを切断する。
【００５１】
ハーフカット時には図５の初期状態からカッタ駆動モータ３９が逆転し、第１及び第２のカム４３ａ，４３ｂが矢印Ｂ方向に回転し、それに伴って係合ピン４４ａ，４４ｂも１点鎖線で示す円内の円弧軌道上を移動する。すると、係合ピン４４ａ，４４ｂと長穴４５ａ，４５ｂが係合し、バネ５０で受台３４の方向に付勢されているので、カッタ刃３２を支持したカッタ支持部材３１は図７（ａ）で上方向に移動しつつ受台３４に向けて移動する。そして、カッタ支持部材３１の突出部３３ａ，３３ｂが受台３４に当接する。カッタ駆動モータ３９がさらに逆転駆動することで、カッタ支持部材３１は逆に図７（ｂ）で下方に移動しつつ、カッタ刃３２の刃先が受台３４上に略接する円弧上を移動して受台３４上に印字テープ層１４ａをカッタ刃３２に向け剥離層１４ｃを受台３４に向けて配置される積層テープ１４の印字テープ層１４ａ部分のみを切断する。
【００５２】
この場合、カッタ支持部材３１の突出部３３ａ，３３ｂの先端はカッタ刃３２の先端より剥離層１４ｃの厚みに相当するＴの寸法だけ突出し、受台３４とカッタ刃３２の間にはＴのすき間があるため、剥離層１４ｃを残して印字テープ層１４ａ及び接着剤１４ｂが切断される。図７（ｂ）はハーフカット終了時の状態を示している。
【００５３】
ハーフカット処理が終了すると、カッタ駆動モータ３９が正転してカッタ支持部材３１は図４の初期位置に復帰する。カッタ刃３２のハーフカットの初期位置はフルカットの場合の初期位置と同一であり、この初期位置及びハーフカットの終了位置はカッタセンサにより第１及び第２のカム４３ａ，４３ｂの回転角度を検出することで行われる。
【００５４】
フルカット時のカッタ刃３２の状態を図９、ハーフカット時のカッタ刃３２の状態を図８に示す。
【００５５】
また、カッタ支持部材３１の移動により積層テープ１４がカッタ刃３２によってフルカットまたはハーフカットにて切断されるとき、図４に示すテープ押え部材５１がカッタ支持部材３１に連動して受台３４に向けて移動し、積層テープ１４を受台３４の刃受け部材５７に押し付ける。このテープ押え部材５１による積層テープ１４の押し付けにより、切断時に積層テープ１４が動くことを防止して、綺麗に切断することができる。
【００５６】
図１０は上記構成の切断装置が搭載されたテープ印字装置の電子回路の構成を示すブロック図である。
【００５７】
制御部６０は、キーボード３からのキー操作信号に応じてＲＯＭ６１に予め記憶されているシステムプログラムを起動させ、回路各部の動作制御を行なう。
【００５８】
この制御部６０には、印字装置の印字処理に関する各種データを記憶するＲＡＭ６２、表示用のフォントのパターンデータを発生する表示用キャラクタジェネレータ６３、印字用のフォントのパターンデータを発生する印字用キャラクタジェネレータ６４、入力された文書のデータや印字処理に必要なデータを表示する表示部４が接続されるとともに、プリンタ部６５が接続される。プリンタ部６５には、サーマルヘッド７及びその駆動回路６６が設けられ、またプラテンローラ８及びリボン巻取軸９を回転駆動するステップモータ６７及びその駆動回路６８が設けられ、テープ切断機構２４を駆動するカッタ駆動モータ３９及びその駆動回路６９が設けられる。
【００５９】
また、第１及び第２のカム４３ａ，４３ｂの回転角度によりテープ切断機構２１の初期位置、フルカット終了位置及びハーフカット終了位置を検知するためのカッタセンサ６０も設けられる。
【００６０】
上記テープ印字装置では、キーボード３から入力された文字列の印字が指示されると、プリンタ部６５のサーマルヘッド７によって積層テープ１４に入力文字列の印字が行われ、その後に、印字済みの積層テープ１４がテープ排出口２０から装置外に排出され、そこで積層テープ１４の搬送が一旦停止される。そして、まずカッタ駆動モータ３９が逆転駆動されてテープ切断機構２１が作動し、図７で説明したハーフカットが行われて積層テープ１４の印字テープ層１４ａ部分のみが切断される。さらに、若干量のテープ搬送が行われた後にカッタ駆動モータ３９が正転駆動されてテープ切断機構２１が作動し、図６で説明したフルカットが行われて積層テープ１４の全体が切断されて印字済みのテープ部分がラベルとして切り離されることになる。
【００６１】
このようにして得られたラベルには、印字テープ層の端部にハーフカット処理による切り込みが形成されるので、印字テープ層を剥離層から容易に剥がすことができる。
【００６２】
前記実施形態の切断装置は、カッタ刃３２と、カッタ刃３２を支持するカッタ支持部材３１と、カッタ刃３２を受ける受台３４と、カッタ支持部材３１の移動機構３６、４０〜４５と、そのカッタ駆動モータ３９からなるテープ切断機構を備え、カッタ駆動モータ３９の正逆転駆動に従ってカッタ支持部材３１の突出部３３ａ、３３ｂを受台３４の凹部３５ａ、３５ｂの位置に対応させるか否かでカッタ刃３２の受台３４に対する距離を変えて積層テープ１４のフルカットとハーフカットを可能にしたものであり、フルカットとハーフカットの２つの切断処理を簡単な構成の単一の切断機構によって実現することができる。
【００６３】
また、第１及び第２のカム４３ａ、４３ｂを介してカッタ支持部材３１を駆動することにより、カッタ支持部材３１に支持されたカッタ刃３２の刃先が受台３４上に略接する円弧上を移動しながら受台３４上の積層テープ１４を切断して切れ味のよい切断が可能になる。
【００６４】
また、積層テープ１４の切断時には、カッタ支持部３１の動きに連動してテープ押え部材５１が受台３４に向けて移動して積層テープ１４押圧することで、安定した切断処理を行うことができる。
【００６５】
そして、前記テープ切断装置を備えたテープ印字装置では、フルカットとハーフカットの２つのテープ切断機構を独立に設けることないため、テープ切断機構を小型化できて、その結果、テープ印字装置全体の構成も簡単にでき形状を小型化できる。
【００６６】
なお、前記実施形態では、印字装置に用いられる印字用の積層テープを切断する場合を想定して説明したが、本発明は印字装置に用いられる積層テープに限らず、第１層と第２層とを積層してなる積層部材であれば、全てに適用可能である。
【００６７】
また、前記実施形態では、第１層を印字テープ層、第２層を剥離層とした積層テープを使用したが、その逆の構造、つまり、第１層を剥離層、第２層を印字テープ層とした積層テープを用いても良い。
【００６８】
【発明の効果】
以上詳記したように本発明によれば、夫々が単一の、カッタ刃と、カッタ刃を支持するカッタ支持部と、カッタ刃を受ける受台と、カッタ支持部の移動機構と、その駆動手段からなる簡単な構成によって、積層部材の第１層及び第２層の切断処理と第２層のみの２つの切断処理を行うことができる。
【００６９】
また、カッタ刃の刃先が受台上に略接する円弧上を移動しながら受台上の積層部材を切断することにより切れ味のよい切断が可能になる。
【００７０】
また、カッタ移動機構が駆動されるときにカッタ支持部に連動して受台に向けて移動して積層部材を受台との間で押圧することで、積層部材の安定した切断処理を行うことができる。
【００７１】
さらに、本発明の切断装置を備えた印字装置では、積層部材の全体を切断する切断機構と積層部材の一部を切断する切断機構を独立に設けることがないため、切断装置を小型化できて、その結果、その切断装置を搭載する印字装置の形状を小型化できる。
【図面の簡単な説明】
【図１】本発明の一実施形態に係るテープ印字装置の構成を示す斜視図。
【図２】前記テープ印字装置のテープカセット収容部及びテープカセットの構成を示す斜視図。
【図３】前記テープカセットに収納された印字用テープの構造を示す図。
【図４】前記テープ印字装置に設けられたテープ切断機構の構造を示す分解斜視図。
【図５】前記テープ切断機構のカッタ移動機構部分の構成を示す図。
【図６】前記テープ切断機構のフルカットの動作を説明するための図。
【図７】前記テープ切断機構のハーフカットの動作を説明するための図。
【図８】前記テープ切断機構のハーフカット時のカッタ刃の状態を示す図。
【図９】前記テープ切断機構のフルカット時のカッタ刃の状態を示す図。
【図１０】前記テープ印字装置の電子回路の構成を示すブロック図。
【符号の説明】
１  …テープ印字装置
２  …装置本体
３  …キーボード
４  …液晶表示部
５  …蓋
６  …カセット収容部
７  …サーマルヘッド
８  …プラテンローラ
９  …リボン巻取軸
１０  …発熱体
１１  …軸
１２  …テープカセット
１３  …カセットケース
１４  …印字用のテープ
１４ａ…印字テープ層
１４ｂ…接着剤
１４ｃ…剥離層
１５  …テープ供給リール
１６  …インクリボン
１７  …リボン供給リール
１８  …リボン巻取リール
１９  …ヘッド挿入部
２０  …テープ排出口
２１  …テープ切断機構
３１  …カッタ支持部材
３２  …カッタ刃
３３ａ，３３ｂ  …突出部
３４  …受台
３５ａ，３５ｂ  …凹部
３６ａ，３６ｂ  …ガイド部材
３７ａ，３７ｂ  …溝
３８  …シャーシ
３９  …カッタ駆動モータ
４０  …出力ギヤ
４１  …第１の伝達ギヤ
４２  …第２の伝達ギヤ
４３ａ，４３ｂ  …第１及び第２のカム（第１及び第２の稼働ギヤ）
４４ａ，４４ｂ  …係合ピン
４５ａ，４５ｂ  …長穴
４６  …補強部材
４７  …フック
４８  …ガイドピン
４９  …フック
５０  …バネ
５１  …テープ押え部材
５２  …長穴
５３  …バネフック
５４  …トーションバネ
５５ａ，５５ｂ  …突起部
５６ａ，５６ｂ  …爪
５７  …刃受け部材
【図１】
0003764974.tif 000002
【図２】
0003764974.tif 000003
【図３】
0003764974.tif 000004
【図４】
0003764974.tif 000005
【図５】
0003764974.tif 000006
【図６】
0003764974.tif 000007
【図７】
0003764974.tif 000008
【図８】
0003764974.tif 000009
【図９】
0003764974.tif 000010
【図１０】
0003764974.tif 000011